(57)【要約】【課題】枠部材２０を体裁よく簡便に取り付ける。【解決手段】間仕切りパネル１０の構造材１１と、押出形材の枠部材２０と、枠部材２０のポケット２３、２３に装着する弾性体の固定部材３０、３０とを組み合わせる。【選択図】図１
2006274687.tif 000002
【特許請求の範囲】
【請求項１】
間仕切りパネルの構造材と、該構造材の室内側、室外側の２面を挟み込むように嵌合させる枠部材と、前記構造材の室内側、室外側の各面に対向するようにして前記枠部材の溝状のポケットに装着する弾性体の固定部材とを備えてなり、該固定部材は、前記構造材の室内側、室外側の各面に摺接して弾性変形する摺接部を介して前記枠部材を外れ止めすることを特徴とする間仕切りパネルにおける枠部材の取付構造。
【請求項２】
前記固定部材は、前記枠部材と同長の連続体であることを特徴とする請求項１記載の間仕切りパネルにおける枠部材の取付構造。
【請求項３】
前記摺接部の先端部は、薄肉部を介してほぼ円形断面に形成することを特徴とする請求項１または請求項２記載の間仕切りパネルにおける枠部材の取付構造。
【請求項４】
前記摺接部は、複数条を平行に設けることを特徴とする請求項１ないし請求項３のいずれか記載の間仕切りパネルにおける枠部材の取付構造。
【請求項５】
前記摺接部は、前記構造材の室内側、室外側の各面に対して傾けることを特徴とする請求項１ないし請求項４のいずれか記載の間仕切りパネルにおける枠部材の取付構造。
【発明の詳細な説明】
【技術分野】
【０００１】
この発明は、間仕切りパネルの構造材に対し、窓枠、扉枠などの枠部材を体裁よく簡便に取り付けることができる間仕切りパネルにおける枠部材の取付構造に関する。
【背景技術】
【０００２】
事務所などの室内空間を任意に仕切る間仕切りパネルには、採光用の窓や、出入口用の開口部などを設ける必要があり、これらの開口部には、窓枠や扉枠などの枠部材を取り付ける必要がある。
【０００３】
従来の枠部材は、間仕切りパネルを構成する構造材に対し、ねじ止めして固定するのが一般的である。しかし、ねじ止めは、下孔を明けることが必要であり、作業手数が過大になったり、止めねじの頭部が外部に露出して外観が見苦しくなったりするという問題がある。そこで、出願人は、室外側の窓枠と室内側の補助枠とを組み合わせ、適切な止め具を介して両者を連結する窓枠の取付構造を先きに提案した（特許文献１）。止め具は、工具を使用しなくて済むので、ねじ止めに比して作業効率が格段に良好であり、窓枠と補助枠との間に介在して外部から隠蔽されるため、良好な外観を実現することができる。
【特許文献１】特開２００３−１９３７５２号公報
【発明の開示】
【発明が解決しようとする課題】
【０００４】
かかる従来技術によるときは、止め具に加えて補助枠を必要とするため、構造が複雑であり、相当の高級感を要求されるときはよいとしても、一般的な用途に対し、製造コストが過大になりがちであるという問題が避けられなかった。
【０００５】
そこで、この発明の目的は、かかる従来技術の問題に鑑み、弾性体の固定部材を使用することによって、簡単な構造でありながら、外観体裁がよく、作業効率も良好な間仕切りパネルにおける枠部材の取付構造を提供することにある。
【課題を解決するための手段】
【０００６】
かかる目的を達成するためのこの発明の構成は、間仕切りパネルを構成する構造材と、構造材の室内側、室外側の２面を挟み込むようにして嵌合させる枠部材と、構造材の室内側、室外側の各面に対向するようにして枠部材の溝状のポケットに装着する弾性体の固定部材とを備えてなり、固定部材は、構造材の室内側、室外側の各面に摺接して弾性変形する摺接部を介して枠部材を外れ止めすることをその要旨とする。
【０００７】
なお、固定部材は、枠部材と同長の連続体としてもよく、摺接部の先端部は、薄肉部を介してほぼ円形断面に形成してもよい。
【０００８】
また、摺接部は、複数条を平行に設けることができ、構造材の室内側、室外側の各面に対して傾けることができる。
【発明の効果】
【０００９】
かかる発明の構成によるときは、弾性体の固定部材は、構造材の相対向する室内側、室外側の各面に外側から対向するようにして枠部材のポケットに装着され、弾性変形する摺接部を介して枠部材を外れ止めする。すなわち、枠部材は、固定部材を介し、一挙に構造材に取り付けて固定することができ、厄介なねじ止め作業をする必要がない。また、固定部材は、枠部材の溝状のポケットに装着されており、枠部材によって隠蔽されるから、外観体裁も良好であり、室内外の遮音性を向上させることができる。なお、固定部材は、適度の弾性を有するネオプレンなどのゴム材または塩化ビニルなどの合成樹脂材を使用することが好ましい。
【００１０】
固定部材は、押出成形により長尺の連続体として作り、枠部材と同長に切断して使用するのが便利である。ただし、固定部材は、適宜の長さのピースに分割して複数個を枠部材のポケットに装着してもよい。
【００１１】
薄肉部を伴う摺接部の先端部は、薄肉部を介して屈曲するように弾性変形するが、このとき、薄肉部の先きの円形断面部分は、弾性変形の程度に拘らず、構造材の表面に対して均一に接触し、固定部材による枠部材の外れ止め効果や遮音性能を容易に一定レベル以上に維持することができる。
【００１２】
複数条の平行な摺接部は、枠部材の外れ止め効果、遮音性能を一層向上させることができる。また、摺接部は、構造材の各面に対して傾けることにより、構造材に対して枠部材を嵌合し易くし、構造材から外れ難くすることができる。ただし、摺接部は、構造材に対する枠部材の嵌合方向の逆方向に傾けるものとする。
【発明を実施するための最良の形態】
【００１３】
以下、図面を以って発明の実施の形態を説明する。
【００１４】
間仕切りパネルにおける枠部材の取付構造は、間仕切りパネル１０の構造材１１と、枠部材２０と、枠部材２０に装着する一対の固定部材３０、３０とを備えてなる（図１、図２）。ただし、図１、図２において、枠部材２０は、室内側、室外側のガラスＧ1 、Ｇ2 を嵌め込む窓枠の一方の縦枠として図示されている。
【００１５】
間仕切りパネル１０は、角柱状の構造材１１の両面にパネル材１２、１３を貼着して構成されている。ただし、構造材１１は、複数本を縦横に組み合わせ、間仕切りパネル１０の骨組フレームとして組み立てるものとする。なお、枠部材２０を組み合わせる構造材１１の室内側、室外側の各面は、パネル材１２またはパネル材１３により約半分がカバーされている。
【００１６】
枠部材２０は、ウェブ２１の左右の両端縁に沿ってフランジ２２、２２を対称的に形成するアルミニウム材の押出形材である。なお、各フランジ２２の先端部には、内向きに対向する溝状のポケット２３が形成されている。枠部材２０は、ウェブ２１をパネル材１２、１３と直角の構造材１１の１面に対応させ、フランジ２２、２２により構造材１１の室内側、室外側の各面を挟み込むようにして構造材１１に嵌合させて組み合わせることができる。
【００１７】
固定部材３０、３０は、枠部材２０のポケット２３、２３に装着されている。固定部材３０は、ゴム材、合成樹脂材などの弾性体の連続体であり、その断面形状は、略長方形の中空の本体部３１の一方の短辺側に、互いに平行な羽根状の摺接部３２、３２を斜めに傾けて形成されている（図３）。本体部３１の各長辺側には、摺接部３２、３２を形成する短辺から長辺の長さの約２／３だけ離して左右の係合溝３１ａ、３１ａが形成されており、係合溝３１ａ、３１ａから他の短辺までは、やや斜めに先細にして角部が円弧状に丸められている。
【００１８】
各摺接部３２は、先端部に滑らかな嵌入部３２ｂを形成することによって薄肉部３２ａを形成し、薄肉部３２ａ、嵌入部３２ｂの先きには、ほぼ円形断面の接触部３２ｃが形成されている。薄肉部３２ａ、嵌入部３２ｂ、接触部３２ｃを含む摺接部３２の全体形状は、本体部３１側の一角が鈍角の三角形の頂角が円弧状に丸められ、嵌入部３２ｂは、長い方の斜辺の一部を滑らかに略円形に凹ませるようにして形成されている。また、摺接部３２、３２の全体は、本体部３１の短辺方向の幅内に収められている。
【００１９】
各固定部材３０は、枠部材２０のポケット２３に対し、摺接部３２、３２を内側に突出させるようにして装着されている（図４）。ただし、このとき、固定部材３０は、摺接部３２、３２が枠部材２０のウェブ２１側に傾くように装着するものとする。また、ポケット２３の左右の側壁には、係合溝３１ａ、３１ａに対応する係合リブ２３ａ、２３ａが形成されており、固定部材３０は、各係合溝３１ａに係合リブ２３ａを係合させることにより、ポケット２３内に固定されている。
【００２０】
室内側のガラスＧ1 は、係合フランジ２７を介して枠部材２０のウェブ２１の片側に装着する止め具４１と、弾性体のシール材４２とを介して枠部材２０に連結されている。また、室外側のガラスＧ2 は、同様の止め具４１と、弾性体のシール材４３とを介して枠部材２０に連結されている。ただし、シール材４２、４３は、それぞれ枠部材２０のポケット２３の外側をカバーする補助部材４４を介して固定され、補助部材４４は、枠部材２０のフランジ２２の中間部に突設する外向きの係合フランジ２４と、ポケット２３の外面に形成する係合リブ２５とを利用して、ポケット２３の外側に着脱可能に装着されている。
【００２１】
固定部材３０、３０を装着済の枠部材２０を構造材１１に嵌合させると（図４の矢印Ｋ方向）、各固定部材３０の摺接部３２、３２は、構造材１１の室内側、室外側の各面に対し、枠部材２０の嵌合方向と逆方向に傾いているため、その先端部が薄肉部３２ａ、３２ａを介して傾き方向に弾性変形し、枠部材２０を構造材１１に滑らかに組み合わせることができる（図１）。また、このようにして嵌合された枠部材２０は、各固定部材３０の摺接部３２、３２を介して外れ止めされ、構造材１１から不用意に外れてしまうおそれがない。
【００２２】
なお、構造材１１に対する枠部材２０の嵌合深さは、枠部材２０に形成するストッパリブ２６、２６が構造材１１の角部に当接することにより規制されている。このようにして枠部材２０を構造材１１に嵌合させると、固定部材３０、３０…は、それぞれの接触部３２ｃ、３２ｃが構造材１１の室内側または室外側の各面に均一に密着し、室内外の良好な遮音性能を実現する。また、補助部材４４、４４の各外側の表面は、間仕切りパネル１０のパネル材１２、１３と同一平面を形成し、構造材１１の室内側、室外側の各面を実質的に隠蔽する。
【００２３】
かかる枠部材の取付構造は、窓枠の上枠、下枠としての枠部材５０、５０にも適用することができる（図５）。
【００２４】
図５において、上枠としての枠部材５０は、ウェブ５１の左右のフランジ５２、５２が図１の補助部材４４を含むような丈夫な２重構造に形成され、固定部材３０、３０は、フランジ５２、５２の先端のポケット５３、５３に装着されている。下枠としての枠部材５０も同様である。ただし、下枠としての枠部材５０には、ガラスＧ1 、Ｇ2 を支持するクッション材５５、５５が併せて付設されている。枠部材５０の各ポケット５３は、固定部材３０の左右の係合溝３１ａ、３１ａまでの深さ相当に浅く形成され、ポケット５３の底部には、固定部材３０を支持する支持リブ５３ａが形成されている（図６）。ただし、図６において、固定部材３０は、摺接部３２、３２が弾性変形していない状態に図示されている。
【００２５】
間仕切りパネル１０の上端部は、補強材Ｃ1 を介して天井材Ｃにねじ止めする下向きチャンネル状の構造材１４によって構成されており（図５）、構造材１４の内部には、スペーサ１４ａが嵌め込まれている。そこで、上枠としての枠部材５０は、構造材１４、スペーサ１４ａに対して下側から嵌合させ、固定部材３０、３０を介して外れ止めすることができる。また、間仕切りパネル１０の下端部は、ベース材Ｆ1 を介して床面Ｆ上にねじ止めする幅木相当の上向きチャンネル状の構造材１５によって構成されており、構造材１５には、調節ボルト１６ａを介して支持する下向きチャンネル状のレベル調節用の可動部材１６が組み合わされている。そこで、下枠としての枠部材５０は、構造材１５、可動部材１６に対して上側から嵌合させ、固定部材３０、３０を介して外れ止めすることができる。
【００２６】
なお、図５には、枠部材５０、５０、パネル材１２、１３、補助部材４４、４４の外面に共通に貼着する間仕切りパネル１０の表面材１７、１７と、一方の竪枠としての枠部材２０のウェブ２１、止め具４１、４１とが併せて図示されている。
【他の実施の形態】
【００２７】
枠部材の取付構造は、扉Ｄ用の扉枠の竪枠、上枠としての枠部材６０、６０…にも適用することができる（図７、図８）。ただし、各枠部材６０は、間仕切りパネル１０の角柱状の構造材１１に取り付けられている。
【００２８】
扉Ｄは、上ヒンジＤ1 、下ヒンジＤ2 を介し、床面Ｆ上の扉枠に対して開閉自在に組み込まれている。扉Ｄは、たとえばハニカム材からなる扉板Ｄ3 の左右両端に端板Ｄ3a、Ｄ3aを付設し、戸先側の端板Ｄ3aは、扉Ｄを全閉すると、クッション材６４ａを介して戸当り６４に当接する。ただし、戸当り６４は、枠部材６０のウェブ６１に形成され、クッション材６４ａは、戸当り６４に付設されている。
【００２９】
各枠部材６０は、ウェブ６１の両端縁に沿う左右のフランジ６２、６２の先端部に固定部材３０、３０用の内向きのポケット６３、６３を形成している。ただし、各ポケット６３は、フランジ６２の先端を内向きに曲げ、Ｌ字状の補助材６５を組み合わせて形成されている。また、ウェブ６１上には、断面長方形の戸当り６４が形成されており、ウェブ６１、フランジ６２、６２、補助材６５、６５によって区画される枠部材６０の内部には、構造材１１の一部を収納するスペーサ６６が収納されている。そこで、各枠部材６０は、間仕切りパネル１０の構造材１１に嵌合させることにより、固定部材３０、３０を介して外れ止めすることができる。なお、図８において、間仕切りパネル１０の上端部は、天井材Ｃの下面の構造材１４にパネル材１２、１３を装着し、パネル材１２、１３の下縁に沿って角柱状の構造材１１が配設されている。
【００３０】
固定部材３０は、摺接部３２を傾けずに直立させてもよい（図９）。摺接部３２は、左右対称の嵌入部３２ｂ、３２ｂを介して形成する薄肉部３２ａの先きに、ほぼ円形断面の接触部３２ｃが形成されている。摺接部３２は、左右いずれにも均等に弾性変形し得るから（図１０（Ａ）、（Ｂ））、構造材１１に対して枠部材２０を嵌合させる方向（同図の各矢印Ｋ、Ｋ方向）に拘らず、枠部材２０のポケット２３に対する装着方向を選択する必要がない。なお、図９の固定部材３０は、他の枠部材５０、６０に対しても同様に適用可能である。
【００３１】
以上の説明において、固定部材３０の摺接部３２は、直立させて、または傾けて、２以上の複数条を平行に設けてもよく、傾けて単一条を設けてもよい。また、窓枠の上枠、下枠としての枠部材５０、５０も、図８に倣って、間仕切りパネル１０の構造材１１をそれぞれの上下に配設することにより、間仕切りパネル１０の上下方向の中間部に窓枠を取り付けることができる。
【図面の簡単な説明】
【００３２】
【図１】使用状態を示す要部横断面図
【図２】図１の斜視図
【図３】固定部材の横断面図
【図４】使用状態説明図
【図５】使用状態を示す縦断面図
【図６】図５のＡ部拡大図
【図７】他の実施の形態を示す横断面図
【図８】他の実施の形態を示す縦断面図
【図９】他の実施の形態を示す図３相当図
【図１０】図９の使用状態説明図
【符号の説明】
【００３３】
１０…間仕切りパネル
１１、１４、１５…構造材
２０、５０、６０…枠部材
２３、５３、６３…ポケット
３０…固定部材
３２…摺接部
３２ａ…薄肉部
特許出願人          小松ウオール工業株式会社
代理人  弁理士                松  田  忠  秋
【図１】
2006274687.tif 000003
【図２】
2006274687.tif 000004
【図３】
2006274687.tif 000005
【図４】
2006274687.tif 000006
【図５】
2006274687.tif 000007
【図６】
2006274687.tif 000008
【図７】
2006274687.tif 000009
【図８】
2006274687.tif 000010
【図９】
2006274687.tif 000011
【図１０】
2006274687.tif 000012